(57)【特許請求の範囲】
【請求項１】
物品の表面に取り付けるためのフィルムアセンブリであって、
外側表面及び内側表面を有する張り付けシートであって、前記張り付けシートの前記内側表面が前記物品の前記表面に取り付けられるべき、張り付けシートと、
内側リリースフィルムであって、
前記張り付けシートの前記内側表面を覆って、前記張り付けシートの前記内側表面が望ましくない物質を引き寄せることを防止しながらも、前記張り付けシートの前記内側表面から容易に取り外せると共に、第１端部を有する、第１フィルム部分、及び
前記第１フィルム部分と接続端部で接続されて１つの部材を形成し、前記第１フィルム部分の下に折り畳まれている第２フィルム部分
を備える、内側リリースフィルムと、
前記第２フィルム部分に形成され、前記第１フィルム部分の前記第１端部から突出する引き抜き部分であって、前記第２フィルム部分が前記物品の前記表面に接触しているときに、引き抜き方向に沿って、前記接続端部から離すように引っ張られて、前記第２フィルム部分を一緒に引き抜くことにより、前記第１フィルム部分を前記張り付けシートの前記内側表面から取り外し、その結果、前記張り付けシートの前記内側表面が、前記望ましくない物質を引き寄せることなく、前記物品の前記表面に取り付けられるようにする、引き抜き部分と
を備え、
前記第２フィルム部分には粘着性があり、前記第２フィルム部分が前記物品の前記表面に取り付けられているときに、前記第２フィルム部分が前記物品の前記表面にある前記望ましくない物質を同時に引き寄せ、前記第２フィルム部分が前記引き抜き部分を引っ張ることによって引き抜かれた場合に、前記物品の前記表面にある前記望ましくない物質を取り除くようにする、フィルムアセンブリ。
【請求項２】
前記第２フィルム部分の端部が前記第１フィルム部分の前記第１端部から延びると共に突出して、前記引き抜き部分を形成する、請求項１に記載のフィルムアセンブリ。
【請求項３】
前記第２フィルム部分が、第１フィルムボディと、第２フィルムボディと、第３フィルムボディとを備えており、前記第１フィルム部分、前記第１フィルムボディ、前記第２フィルムボディ及び前記第３フィルムボディが、前記引き抜き方向と平行であり、順に接続され、且つ、折り畳まれて前記内側リリースフィルムを形成しており、前記第１フィルムボディと前記第２フィルムボディの、前記第１フィルムボディと前記第２フィルムボディが接続されている側が、前記第１フィルム部分の前記第１端部から突出して、前記引き抜き部分を形成する、請求項１に記載のフィルムアセンブリ。
【請求項４】
前記第２フィルム部分の前記第３フィルムボディには粘着性があり、前記第２フィルム部分の前記第３フィルムボディが、前記物品の前記表面に取り付けられているときに、前記物品の前記表面にある前記望ましくない物質を同時に引き寄せる、請求項３に記載のフィルムアセンブリ。
【請求項５】
前記第１フィルム部分と前記第２フィルム部分の間の前記引き抜き部分が、前記接続端部から延び、前記第１フィルム部分の前記第１端部から突出して、引き抜きフィルムボディを形成する、請求項１に記載のフィルムアセンブリ。
【請求項６】
前記内側リリースフィルムの前記第２フィルム部分が静電フィルム又は接着フィルムである、請求項１に記載のフィルムアセンブリ。
【請求項７】
前記内側リリースフィルムの前記第２フィルム部分の前記第３フィルムボディが静電フィルム又は接着フィルムである、請求項４に記載のフィルムアセンブリ。
【請求項８】
前記フィルムアセンブリが、前記張り付けシートの前記外側表面を覆い、前記張り付けシートの前記外側表面から簡単に取り外すことができる外側リリースフィルムを、前記張り付けシートの前記外側表面が前記望ましくない物質を引き寄せることを防止するために、さらに備える、請求項１に記載のフィルムアセンブリ。
【請求項９】
前記フィルムアセンブリが実質的に矩形であると共に、少なくとも１つの位置合わせ模様をさらに備えており、前記位置合わせ模様が、前記張り付けシートの少なくとも２つの対応する角部近傍にそれぞれある少なくとも２対の線であって、前記張り付けシートの対応する縁部に沿って延び、前記外側リリースフィルムと前記第２フィルム部分の底部との少なくとも一方に配されていて、前記張り付けシートの第２端部を前記物品の前記表面の予め定められた位置合わせ線と位置合わせするのを補助する、少なくとも２対の線を備える、請求項８に記載のフィルムアセンブリ。
【請求項１０】
前記第２フィルム部分が前記第１フィルム部分と１つの部材を形成する、又は、前記第２フィルム部分の接続部分が前記張り付けシートの前記内側表面と前記第１フィルム部分との間に折り畳まれると共に、前記第１フィルム部分に固定される、請求項１に記載のフィルムアセンブリ。
【請求項１１】
前記張り付けシートが、前記物品の前記表面を保護するために用いられる保護フィルムである、又は、前記物品の前記表面と接合するために用いられる固い基板である、請求項１に記載のフィルムアセンブリ。
【請求項１２】
前記張り付けシートが静電フィルム又は接着フィルムである、請求項１に記載のフィルムアセンブリ。
【請求項１３】
前記物品の前記表面は、テレビの画面、コンピューターのモニター、携帯電話の画面、タブレット端末の画面、カメラの画面、マルチメディアデバイスの画面、車の窓、又は家の窓である、請求項１に記載のフィルムアセンブリ。
【請求項１４】
物品の表面にフィルムアセンブリを取り付ける方法であって、前記フィルムアセンブリが、外側表面、内側表面及び内側リリースフィルムを有する張り付けシートを備え、前記内側リリースフィルムが、第１フィルム部分と、第２フィルム部分と、引き抜き部分とを備え、前記第１フィルム部分が、前記張り付けシートの前記内側表面を覆い、且つ、第１端部を有し、前記第２フィルム部分が、前記第１フィルム部分に接続されて１つの部材を形成し、且つ、前記第１フィルム部分の下に折り畳まれていて、前記引き抜き部分が、前記第２フィルム部分に形成されていて、前記第１フィルム部分の前記第１端部から突出しており、前記方法が、
（ａ）前記フィルムアセンブリを前記物品の前記表面に置き、前記第２フィルム部分を前記物品の前記表面に接触させるステップと、
（ｂ）前記引き抜き部分を、引き抜き方向に沿って、前記接続端部から離すように引っ張って、前記第２フィルム部分を一緒に引き抜くことにより、前記第１フィルム部分を前記張り付けシートの前記内側表面から取り外しやすくし、前記張り付けシートの前記内側表面を、望ましくない物質を引き寄せることなく、前記物品の前記表面に取り付けられるようにするステップと、
を含み、
前記第２フィルム部分には粘着性があり、その結果、前記ステップ（ａ）において、前記第２フィルム部分が前記物品の前記表面に取り付けられているときに、前記物品の前記表面にある前記望ましくない物質が同時に引き寄せられ、前記ステップ（ｂ）において、前記引き抜き部分を引っ張って、前記第２フィルム部分を引き抜いているときに、前記物品の前記表面にある前記望ましくない物質が取り除かれる、方法。
【請求項１５】
前記第２フィルム部分の端部が延び、前記第１フィルム部分の前記第１端部から突出して前記引き抜き部分を形成しており、前記ステップ（ｂ）では、前記第２フィルム部分の前記端部を引っ張ることで得られた延長部によって形成された前記引き抜き部分が引っ張られる、請求項１４に記載の方法。
【請求項１６】
前記第２フィルム部分が、第１フィルムボディと、第２フィルムボディと、第３フィルムボディとを備えており、前記第１フィルム部分、前記第１フィルムボディ、前記第２フィルムボディ及び前記第３フィルムボディが、前記引き抜き方向と平行であり、順に接続され、且つ、折り畳まれて前記内側リリースフィルムを形成しており、前記ステップ（ｂ）では、前記第１フィルムボディと前記第２フィルムボディの、前記第１フィルムボディと前記第２フィルムボディが接続されている側によって形成され、前記第１フィルム部分の前記第１端部から突出する前記引き抜き部分が引っ張られる、請求項１４に記載の方法。
【請求項１７】
前記第２フィルム部分の前記第３フィルムボディには粘着性があり、前記ステップ（ａ）において、前記第２フィルム部分の前記第３フィルムボディが前記物品の前記表面に取り付けられているときに、前記物品の前記表面にある前記望ましくない物質が同時に引き寄せられる、請求項１６に記載の方法。
【請求項１８】
前記第１フィルム部分と前記第２フィルム部分との間の前記引き抜き部分が、前記接続端部から延び、前記第１フィルム部分の前記第１端部から突出して引き抜きフィルムボディを形成し、前記ステップ（ｂ）において、前記引き抜き部分の前記引き抜きフィルムボディが引っ張られる、請求項１４に記載の方法。
【請求項１９】
前記ステップ（ｂ）が、
（ｂ−１）前記引き抜き部分を引っ張って前記第２フィルム部分を一緒に引き抜くことにより、前記第１フィルム部分の一部を前記張り付けシートの前記内側表面から取り外して、前記張り付けシートの前記内側表面の一部を露出できるようにするステップと、
（ｂ−２）前記物品の前記表面、及び、前記張り付けシートの前記内側表面の前記露出部分に向けて圧力をかけて、前記張り付けシートの前記内側表面の前記露出部分を前記物品の前記表面に取り付けるステップと、
（ｂ−３）前記引き抜き部分を引っ張り続けて前記第２フィルム部分を一緒に引き抜くことにより、前記第１フィルム部分を前記張り付けシートの前記内側表面から完全に取り外しながら、前記物品の前記表面及び前記張り付けシートに向けて圧力を同時にかけ、前記張り付けシートの前記内側表面を、前記望ましくない物質を引き寄せることなく、前記物品の前記表面に完全に取り付けるサブステップと
をさらに含む、請求項１４に記載の方法。
【請求項２０】
前記ステップ（ａ）の後に、且つ前記ステップ（ｂ）の前に、
（ａ−１）前記張り付けシートの第２端部を前記物品の前記表面の予め定められた位置合わせ線に位置合わせするステップ
をさらに含む、請求項１９に記載の方法。
【請求項２１】
前記フィルムアセンブリが、前記張り付けシートの前記外側表面を覆い、且つ、前記張り付けシートの前記外側表面から取り外すのが容易である外側リリースフィルムであって、前記張り付けシートの前記外側表面が前記望ましくない物質を引き寄せることを防止する、外側リリースフィルムをさらに備え、
前記ステップ（ｂ）の後に、
（ｃ）前記外側リリースフィルムを前記張り付けシートの前記外側表面から取り外すステップ
をさらに含む、請求項２０に記載の方法。
【請求項２２】
前記フィルムアセンブリが実質的に矩形であり、少なくとも１つの位置合わせ模様をさらに備えており、前記位置合わせ模様が、前記張り付けシートの少なくとも２つの対応する角部の近傍にそれぞれある少なくとも２対の線であって、前記張り付けシートの対応する縁部に沿って延び、且つ、前記外側リリースフィルムと前記第２フィルム部分の底部との少なくとも一方に配されて前記ステップ（ａ−１）を容易にする、少なくとも２対の線を備える、請求項２１に記載の方法。
【請求項２３】
前記張り付けシートの前記第２端部が前記接続端部と重なっている、請求項２０に記載の方法。
【請求項２４】
前記物品の前記表面は、テレビの画面、コンピューターのモニター、携帯電話の画面、タブレット端末の画面、カメラの画面、マルチメディアデバイスの画面、車の窓、又は家の窓である、請求項１４に記載の方法。
【発明の詳細な説明】
【技術分野】
【０００１】
[0001]本発明は、フィルムアセンブリに関し、特に、物品の表面に簡単に取り付けることができるフィルムアセンブリに関する。
【背景技術】
【０００２】
[0002]多くのユーザーは、物品の表面が傷つくのを防止するために、又は、何らかの効果をその表面に与えるために、フィルムをその表面に取り付ける。例えば、ユーザーは、多くの場合に、保護フィルムや特殊な光学特性を有する光学フィルムを電子機器の画面に張り付ける。ユーザーはまた、断熱フィルムやＵＶカットフィルムを車の窓や家の窓に取り付けることがある。さまざまな接合処置の最中にさえ、例えばガラス板をパネルに取り付けるなど、固い基板が物品の表面に取り付けられる。
【０００３】
[0003]図１に見られるように、従来のフィルムアセンブリ１は通常、物品２の表面２０に取り付ける張り付けシート１１と、張り付けシート１１の内側表面を覆う内側リリースフィルム１３と、張り付けシート１１の外側表面を覆う外側リリースフィルム１５とを備える。
【０００４】
[0004]張り付けるとき、ユーザーは、張り付けシート１１の縁部１０の近くで、内側リリースフィルム１３の少なくとも一部を張り付けシート１１の内側表面から最初にめくって、張り付けシート１１の内側表面の一部を露出させ、ユーザーが縁部１０を物品２の予め定められた位置合わせ線２１とおおまかに位置合わせし、張り付けシート１１の内側表面の露出部分を物品２の表面２０に取り付けられるようにする。そして、内側リリースフィルム１３の全体を張り付けシート１１の内側表面から剥ぎ取った後に、張り付けシート１１の内側表面全体を物品２の表面２０に取り付ける。最後に、ユーザーは、外側リリースフィルム１５を張り付けシート１１の外側表面から取り除き、張り付けシート１１の取り付け処置を完了させることができる。
【０００５】
[0005]しかしながら、特殊な工具の助けなしでは、張り付けている最中に、物品２の表面２０の予め定められた取り付け場所に張り付けシート１１を正確に取り付け、位置合わせすることは、ユーザーにとって困難なことである。このため、ユーザーは、多くの場合に、張り付けシート１１を取り除き、張り付けシート１１を物品２の表面２０の予め定められた取り付け場所に再度取り付け、再度位置合わせをすることを何度も繰り返さなければならない。結果として、この種のフィルムアセンブリ１の張り付け処置は、ユーザーにとって不便である。
【０００６】
[0006]さらに、張り付けシート１１を物品２の表面２０に取り付けるという処置は、ほこりのない環境では通常行わないので、張り付けシート１１を物品２の表面２０の予め定められた取り付け場所に再度取り付け、再度位置合わせする処置の最中に、張り付けシート１１の粘着性のある内側表面は、例えばユーザーの手のほこりや汚れなど、望ましくない物質の影響を受けやすくなる。張り付けシート１１と物品２の表面２０との間に望ましくない物質があると、張り付けシート１１が物品２の表面２０に完全にはつかなくなり、物品の外観に影響がでる。
【０００７】
[0007]物品２の表面２０に取り付けた別のフィルムアセンブリ９を示す図２−１（Ａ）を参照されたい。フィルムアセンブリ９は、張り付けシート９１と、隣り合わせに置かれた２つの第１内側リリースフィルム９２と、張り付けシート９１と第１内側リリースフィルム９２との間にある第１接着層９３と、第１内側リリースフィルム９２の内側表面に配置された第２接着層９４と、第２接着層９４の内側表面に配置された第２内側リリースフィルム９５とを備える。フィルムアセンブリ９を使うために、第１のステップでは、第２内側リリースフィルム９５を第２接着層９４から取り除き、そして、図２−１（Ｂ）に示されるように、フィルムアセンブリ９の第２接着層９４を物品２の表面２０に取り付ける。第２のステップでは、図２−１（Ｃ）に示すように、第１内側リリースフィルム９２の一方を下方に曲げ、中央から取り除く。第３のステップでは、図２−２（Ｄ）に示すように、第１内側リリースフィルム９２を外した後に露出する第１接着層９３の一部を物品２の表面２０に取り付ける。第４のステップでは、図２−２（Ｅ）に示すように、第１内側リリースフィルム９２の残った方を曲げて取り除く。最後に、最終ステップでは、図２−２（Ｆ）に示すように、第１接着層９３を物品２の表面２０に完全に取り付け、張り付けシート９１を物品２の表面２０に取り付けられるようにする。
【０００８】
[0008]フィルムアセンブリ９は、張り付けシート９１の第１接着層９３を物品２の表面２０の予め定められた取り付け場所に再度取り付け、再度位置合わせするという処置を回避できるが、第１内側リリースフィルム９２を中央から剥ぎ取って取り外すときに、例えばユーザーの手のほこりや汚れなどの望ましくない物質が、張り付けシート９１の第１接着層９３に簡単に付着するようになる可能性があり、これは、望ましくない物質が張り付けシート９１の第１接着層９３と、物品２の表面２０との間に付着するようになる原因となり、張り付けシート９１を物品２の表面２０に完全には取り付けられなくする。さらに、第１内側リリースフィルム９２を中央から剥ぎ取ることは、容易ではない。
【０００９】
[0009]この観点から、物品の表面に簡単に取り付けることができながら、フィルムアセンブリを物品の表面に完全には取り付けられないようにする望ましくない物質がフィルムアセンブリと物品の表面との間に付着するようになることを防止するフィルムアセンブリが、この産業分野で非常に求められている。
【発明の概要】
【発明が解決しようとする課題】
【００１０】
[0010]本発明の目的は、繰り返して剥がし、再度張り付けをしなければならないことを回避しながらも、物品の表面に取り付けることが容易なフィルムアセンブリを提供することである。さらに、本発明は、フィルムアセンブリを物品の表面に取り付けているときに、望ましくない物質がフィルムアセンブリと物品の表面との間に付着するようになることを防止でき、フィルムアセンブリを物品の表面に完全に取り付けられるようにする。
【課題を解決するための手段】
【００１１】
[0011]上記目的を達成するために、本発明のフィルムアセンブリは、張り付けシートと、内側リリースフィルムとを備える。内側リリースフィルムは、第１フィルム部分と、第２フィルム部分と、引き抜き部分とを備える。張り付けシートは、外側表面と、内側表面とを有する。張り付けシートの内側表面は、物品の表面に取り付けられる。内側リリースフィルムの第１フィルム部分は、張り付けシートの内側表面を覆い、張り付けシートの内側表面が望ましくない物質を引き寄せることを防止するものであり、張り付けシートの内側表面から簡単に取り外すことができる。第１フィルム部分は、第１端部を有する。第２フィルム部分は、第１フィルム部分と接続端部で接続されて１つの部材を形成し、そして第１フィルム部分の下に折り畳まれている。引き抜き部分は、第２フィルム部分に形成され、第１フィルム部分の第１端部から突出している。
【００１２】
[0012]引き抜き部分は、第２フィルム部分が物品の表面に接触しているときに、引き抜き方向に沿って、接続端部から離すように、第２フィルム部分を一緒に引き抜くように引っ張られ、これにより、第１フィルム部分が、張り付けシートの内側表面から取り外され、張り付けシートの内側表面が、望ましくない物質を引き寄せることなく、物品の表面に取り付けられるようになる。
【図面の簡単な説明】
【００１３】
【図１】[0013]  物品の表面に取り付けるのに用いる従来のフィルムアセンブリの模式図である。
【図２−１】[0014]  別の従来のフィルムアセンブリを物品の表面に取り付けるためのステップを示す模式図である。
【図２−２】図２−１に続く図であり、別の従来のフィルムアセンブリを物品の表面に取り付けるためのステップを示す模式図である。
【図３】[0015]  物品の表面に取り付ける、本発明の第１実施形態におけるフィルムアセンブリの模式図である。
【図４】[0016]  物品の表面に取り付ける、本発明の第２実施形態におけるフィルムアセンブリの模式図である。
【図５】[0017]  物品の表面に取り付ける、本発明の第３実施形態におけるフィルムアセンブリの模式図である。
【図６】[0018]  本発明のフィルムアセンブリの位置合わせ模様の模式図である。
【図７】[0019]  内側リリースフィルムの第１フィルム部分と第２フィルム部分がつなぎ合わせてあることを示す模式図である。
【図８】[0020]  本発明の第１実施形態におけるフィルムアセンブリを物品の表面に取り付けるためのステップを示す模式図である。
【図９】[0021]  本発明の第２実施形態におけるフィルムアセンブリの物品の表面に取り付けるためのステップを示す模式図である。
【図１０】[0022]  本発明の第３実施形態におけるフィルムアセンブリの物品の表面に取り付けるためのステップを示す模式図である。
【発明を実施するための形態】
【００１４】
[0023]最初に、図３を参照されたい。物品２の表面２０に取り付けられる本発明のフィルムアセンブリ３は、少なくとも、張り付けシート３１と、内側リリースフィルム３３とを備える。これらのうちで本発明の張り付けシート３１は、前述したように、さまざまな電子機器の画面に取り付けられるものと知られている保護フィルム、又は、車の窓若しくは家の窓に取り付けられる特殊な光学特性等を有する光学フィルム、すなわち、断熱フィルム、ＵＶカットフィルム等であってもよい。本実施形態において、物品２は、テレビの画面、コンピューターのモニター、携帯電話の画面、タブレット端末の画面、カメラの画面、マルチメディアデバイスの画面、車の窓又は家の窓の表面である。また、張り付けシート３１は、物品２の表面２０を保護するのに用いられる保護フィルムであってもよい。また、張り付けシート３１はまた、物品２の表面２０に取り付けるのに静電気を用いる静電フィルム又は接着層を用いる接着フィルムのこともある。さまざまな接合処置の中で、本発明の張り付けシート３１はまた、物品２の表面２０に接合するのに用いられる固い基板のこともある。
【００１５】
[0024]本発明の第１実施形態の内側リリースフィルム３３は、図３に示すように、第１フィルム部分３３１と、第２フィルム部分３３２と、引き抜き部分３３３とを備える。張り付けシート３１は、外側表面と、内側表面とを有する。張り付けシート３１の内側表面は、物品２の表面２０に取り付けられる。内側リリースフィルム３３の第１フィルム部分３３１は、張り付けシート３１の内側表面を覆って、張り付けシート３１の内側表面が、ユーザーの手のほこりや汚れのような望ましくない物質を、張り付けシート３１を物品２の表面２０に取り付ける前に引き寄せることを防止する。内側リリースフィルム３３の第１フィルム部分３３１は、張り付けシート３１の内側表面から簡単に取り外せる。第１フィルム部分３３１は、第１端部３０Ａを有する。第２フィルム部分３３２は、第１フィルム部分３３１に、接続端部３０Ｂにおいて接続されて１つの部材を形成し、そして、第１フィルム部分３３１の下に折り畳まれている。本発明の引き抜き部分３３３は、第２フィルム部分３３２に形成され、第１フィルム部分３３１の第１端部３０Ａから突出している。本発明の第１実施形態では、図３に示されているように、第２フィルム部分３３２の端部が延び、第１フィルム部分３３１の第１端部３０Ａから突出し、引き抜き部分３３３を形成する。
【００１６】
[0025]引き抜き部分３３３は、引き抜き方向３Ａに沿って、接続端部３０Ｂから離すように、第２フィルム部分３３２が物品２の表面２０に接触しているときに、第２フィルム部分３３２を一緒に引き抜くように引っ張られ、この結果、第１フィルム部分３３１が張り付けシート３１の内側表面から取り外され、張り付けシート３１の内側表面が、望ましくない物質を引き寄せることなく、物品２の表面２０に取り付けられるようにする。本発明の内側リリースフィルム３３の引き抜き部分３３３は、引き抜き方向３Ａを向くように、第２フィルム部分３３２の接続端部３０Ｂとは反対の場所に配置されることが好ましい。
【００１７】
[0026]内側リリースフィルム３３の第２フィルム部分３３２は、粘着性を有することが好ましく、静電フィルム又は接着フィルム等であってよい。この場合、第２フィルム部分３３２が物品２の表面２０に取り付けられると、第２フィルム部分３３２は、物品２の表面２０の望ましくない物質にもくっつくことができ、この結果、第２フィルム部分３３２が、引き抜き部分３３３を引っ張ることによって引き抜かれたときに、物品２の表面２０にある望ましくない物質を取り除くことができるようになる。
【００１８】
[0027]できれば、本発明の第２実施形態を示す図４を参照されたい。本実施形態では、引き抜き部分３３３を引っ張ることによって、内側リリースフィルム３３を物品２の表面２０及び張り付けシート３１の内側表面からもっと簡単に取り外せるように、内側リリースフィルム３３の第２フィルム部分３３２が多数のフィルム層を備える。本実施形態では、第２フィルム部分３３２が、第１フィルムボディ３３Ａと、第２フィルムボディ３３Ｂと、第３フィルムボディ３３Ｃとを備える。内側リリースフィルム３３の第１フィルム部分３３１と、第２フィルム部分３３２の第１フィルムボディ３３Ａと、第２フィルムボディ３３Ｂと、第３フィルムボディ３３Ｃとは、引き抜き方向３Ａと平行であり、順に接続され且つ、折り畳まれて、内側リリースフィルム３３を形成する。第２フィルム部分３３２の第１フィルムボディ３３Ａと第２フィルムボディ３３Ｂの、第１フィルムボディ３３Ａと第２フィルムボディ３３Ｂが接続されている側は、第１フィルム部分３３１の第１端部３０Ａから突出して、引き抜き部分３３３を形成する。第１実施形態と同様に、本発明の第１フィルムボディ３３Ａと第２フィルムボディ３３Ｂから形成された引き抜き部分３３３は、引き抜き方向３Ａを向くように、第２フィルム部分３３２の接続端部３０Ｂとは反対側の場所に配置されることが好ましい。
【００１９】
[0028]本実施形態では、内側リリースフィルム３３の第２フィルム部分３３２の第３フィルムボディ３３Ｃに、静電フィルム又は接着フィルムなどのような粘着性がある。第１フィルムボディ３３Ａと第２フィルムボディ３３Ｂには、必ずしも粘着性はない。これにより、第２フィルム部分３３２の第３のフィルムボディ３３Ｃが物品２の表面２０に取り付けられているときに、第３のフィルムボディ３３Ｃは、物品２の表面２０にある望ましくない物質を同時に引き寄せる。
【００２０】
[0029]本発明の第３実施形態を示す図５を参照されたい。第１実施形態についての図３と比較すると、第１実施形態では、引き抜き部分３３３が、第２フィルム部分３３２を延ばし、第１フィルム部分３３１の第１端部３０Ａから突出させることで形成されているが、本発明の第３実施形態における引き抜き部分３３３は、第１フィルム部分３３１と第２フィルム部分３３２の間に形成された引き抜きフィルムボディであり、接続端部３０Ｂから延び、第１フィルム部分３３１の第１端部３０Ａから突出している。第３実施形態において、本発明の内側リリースフィルム３３の第２フィルム部分３３２は、やはり粘着性があることが好ましい。したがって、第２フィルム部分３３２が物品２の表面２０に取り付けられているときに、第２フィルム部分３３２は、物品２の表面２０にある望ましくない物質を同時に引き寄せて、物品２の表面２０から、このような望ましくない物質を、引き抜き部分３３３を引っ張ることによって第２フィルム部分３３２を引き抜いているときに、取り除くようにすることができる。
【００２１】
[0030]図３〜５を参照すると、本発明のフィルムアセンブリ３は、３つの実施形態の各々がみな、外側リリースフィルム３５をさらに備える。外側リリースフィルム３５は、張り付けシート３１の外側表面を覆い、張り付けシート３１の外側表面から簡単に取り外すことができる。これにより、張り付けシート３１が物品２の表面２０に取り付けられる前に、張り付けシート３１の外側表面が望ましくない物質を引き寄せることが防止される。
【００２２】
[0031]図３〜５を参照すると、ユーザーにとっての使い勝手をよくするために、本発明のフィルムアセンブリ３の引き抜き部分３３３は、ユーザーにはっきりと見えるマークを有することが好ましい。さらに、ユーザーが本発明のフィルムアセンブリ３の張り付けシート３１を物品２の表面２０の適切な位置に容易に取り付けられるように、図６に示すように、フィルムアセンブリ３は、実質的に矩形であり、さらに、少なくとも２対の線３７１がある位置合わせ模様３７を少なくとも含む。本実施形態では、４対の線３７１があり、これら４対の線３７１は、張り付けシート３１の４つの角部の近傍にそれぞれあり、張り付けシート３１の４つの縁部に沿って延び、張り付けシート３１の第２端部３０Ｃを物品２の表面２０の予め定められた位置合わせ線２１と位置合わせしやすくするために、外側リリースフィルム３５と第２フィルム部分３３２の底部の少なくとも一方に配されている。
【００２３】
[0032]図４に示されているように、第２フィルム部分３３２の底部に配されている位置合わせ模様３７は、第２フィルム部分３３２の第３フィルムボディ３３Ｃに配されている。さらに、図３〜５に示されているように、本発明のフィルムアセンブリ３は、２つの位置合わせ模様３７を含むことがあり、各々の位置合わせ模様３７が４対の線３７１を含んでおり、一方の位置合わせ模様３７が外側リリースフィルム３５に配されており、他方の位置合わせ模様３７が第２フィルム部分３３２の底部に配されている。
【００２４】
[0033]本発明のフィルムアセンブリ３の内側リリースフィルム３３に関しては、フィルムアセンブリ３の第２フィルム部分３３２は、図３〜５に示すように、第１フィルム部分３３１と１つの部材を形成することであってもよく、又は、第２フィルム部分３３２は、図７に示されているように、張り付けシート３１の内側表面と第１フィルム部分３３１との間に折り畳まれた第２フィルム部分３３２の連結部３３Ｄを接続端部３０Ｂにおいて、第１フィルム部分３３１と、接着又は溶接のような方法を用いて、固定することにより形成することもできる。
【００２５】
[0034]図８Ａ〜８Ｄ、図９Ａ〜９Ｄ又は図１０Ａ〜１０Ｄを参照されたい。図８Ａ〜８Ｄ、図９Ａ〜９Ｄ又は図１０Ａ〜１０Ｄは、本発明の３つの実施形態における、上述したフィルムアセンブリ３を物品２の表面２０に取り付ける方法を説明する。（図３〜５に個別に示したように）上述した本発明のフィルムアセンブリ３の３つの実施形態の使用方法は、実質的に同じである。方法の各ステップにおけるフィルムアセンブリ３の形状は、それらの構造が異なるために異なっている。したがって、前述した３つの実施形態の使用方法は、以下に一緒に説明する。前述した３つの実施形態におけるフィルムアセンブリ３の構造は、先に説明したので、これ以上は論じない。
【００２６】
[0035]最初に、図８Ａ、９Ａ又は１０Ａに示されているように、フィルムアセンブリ３を物品２の表面２０に置いて、第２フィルム部分３３２を物品２の表面２０に接触させる。図９Ａに示されているように、このステップにおける第２実施形態のフィルムアセンブリ３は、物品２の表面２０と、第２フィルム部分３３２の第３フィルムボディ３３Ｃによって接触する。
【００２７】
[0036]次に、張り付けシート３１の第２端部３０Ｃを、物品２の表面２０にある予め定められた位置合わせ線２１と位置合わせする。図８Ａ、９Ａ又は１０Ａに示されているように、物品２の表面２０にある予め定められた位置合わせ線２１と位置合わせされるようにユーザーに選択された張り付けシート３１の第２端部３０Ｃは、（図３〜図５に示されているように）第１フィルム部分３３１と第２フィルム部分３３２が接続されている接続端部３０Ｂと重なっていることがある。つまり、ユーザーは、対応する、予め定められた位置合わせ線２１と位置合わせするのに、接続端部３０Ｂを予め選ぶことができる。もっとも、ユーザーは、第２端部３０Ｃと位置合わせするのに、張り付けシート３１の別の端部を選ぶこともできる。
【００２８】
[0037]上述したように、フィルムアセンブリ３の少なくとも１つの位置合わせ模様３７が、ユーザーがフィルムアセンブリ３を予め定められた位置合わせ線２１にもっと簡単に位置合わせすることを補助できる。図６に示されているように、前述した位置合わせ模様３７は、４対の線３７１を備える。４対の線３７１は、張り付けシート３１の４つの角部の近傍にそれぞれあり、張り付けシート３１の４つの縁部に沿って伸び、外側リリースフィルム３５と第２フィルム部分３３２の底部の少なくとも一方に配されている。
【００２９】
[0038]次に、図８Ｂ〜８Ｃ、図９Ｂ〜９Ｃ又は図１０Ｂ〜１０Ｃに示されているように、第２フィルム部分３３２に形成されている引き抜き部分３３３を、引き抜き方向３Ａに沿って、接続端部３０Ｃから離すように引っ張って、第２フィルム部分３３２を引き抜き、一緒に、第１フィルム部分３３１を張り付けシート３１の内側表面から取り外すことにより、張り付けシート３１の内側表面が、望ましくない物質を引き寄せることなく、物品２の表面２０に取り付けられる。図８Ｂ〜８Ｃに示されているように、本発明の第１実施形態のフィルムアセンブリ３では、このステップにおいて、第１フィルム部分３３１の第１端部３０Ａから伸び、突出している第２フィルム部分３３２の端部によって形成されている引き抜き部分３３３が引っ張られる。図９Ｂ〜９Ｃに示されているように、本発明の第２実施形態におけるフィルムアセンブリ３では、第１フィルムボディ３３Ａと第２フィルムボディ３３Ｂの、第１フィルムボディ３３Ａと第２フィルムボディ３３Ｂが接続され、第１フィルム部分３３１の第１端部３０Ａから突出している側によって形成されている引き抜き部分３３３が引っ張られる。図１０Ｂ〜１０Ｃに示されているように、本発明の第３実施形態におけるフィルムアセンブリ３では、このステップにおいて、第１フィルム部分３３１と第２フィルム部分３３２の間に形成され、接続端部３０Ｂから伸び、第１フィルム部分３３１の第１端部３０Ａから突出する引き抜き部分３３３の引き抜きフィルムボディが引っ張られる。
【００３０】
[0039]詳しく説明すると、第２フィルム部分３３２を引っ張るのと一緒に第１フィルム部分３３１を張り付けシート３１の内側表面から取り外す前述したステップは、以下のステップを含むことがある。図８Ｂ、９Ｂ又は１０Ｂに示されるように、引き抜き部分３３３は、第２フィルム部分３３２を一緒に引っ張り出し、同時に、第１フィルム部分３３１の一部を張り付けシート３１の内側表面から、張り付けシート３１の内側表面の一部を露出させるように取り外す。直後に又は同時に、物品２の表面２０にある張り付けシート３１の内側表面の露出部分に向けて圧力がかけられ、これにより、張り付けシート３１の内側表面の露出部分が、物品２の表面２０に、張り付けシート３１と物品２の表面２０の間のほぼ一定の相対位置に取り付けられる。その後、引き抜き部分３３３を続けて引っ張って、第２フィルム部分３３２を一緒に引き抜き、これにより第１フィルム部分３３１を張り付けシート３１の内側表面から完全に取り外し、同時に、物品２の表面２０にある張り付けシート３１に向けて圧力をかけ、その結果、張り付けシート３１の内側表面が、図８Ｃ、９Ｃ又は１０Ｃに示されているように、望ましくない物質を引き寄せることなく、物品２の表面２０に完全に取り付けられるようにする。
【００３１】
[0040]本発明の張り付けシート３１が、さまざまな接合処置の最中に、物品２の表面２０を取り付けるのに用いられる固い基板であれば、張り付けシート３１は、もっと変形しにくい。この場合、張り付けシート３１の内側表面の前述した露出部分は、物品２の表面２０に、図８Ｂ、９Ｂ又は１０Ｂに示されているように完全に取り付けることはできないかもしれない。
【００３２】
[0041]前述したステップの後、図８Ｃ〜８Ｄ、９Ｃ〜９Ｄ又は１０Ｃ〜１０Ｄに示されているように、外側リリースフィルム３５を張り付けシート３１の外側表面から取り外して、本発明のフィルムアセンブリ３の張り付けシート３１の取り付け処置を完了する。
【００３３】
[0042]図８Ａ〜８Ｃ又は１０Ａ〜１０Ｃを参照されたい。上述したように、図８Ａ〜８Ｃ又は１０Ａ〜１０Ｃは、第２フィルム部分３３２が物品２の表面２０に取り付けられているときに、第２フィルム部分３３２が物品２の表面２０にある望ましくない物質を同時に引き寄せるように、第２フィルム部分３３２が、粘着性を有しうることを示している。結果として、引き抜き部分３３３を引っ張って第２フィルム部分３３２を引き抜いているときに、物品２の表面２０にある望ましくない物質が同時に取り除かれる。
【００３４】
[0043]図９Ａ〜９Ｃを参照されたい。図９Ａ〜９Ｃは、上述した第２実施形態における内側リリースフィルム３３の第２フィルム部分３３２に、第１フィルムボディ３３Ａと、第２フィルムボディ３３Ｂと、第３フィルムボディ３３Ｃとがあるという状況下で、第２フィルム部分３３２の第３フィルムボディ３３Ｃが物品２の表面２０に取り付けられているときに、第３フィルムボディ３３Ｃが物品２の表面２０にある望ましくない物質を同時に引き寄せるように、第２フィルム部分３３２の第３フィルムボディ３３Ｃが、粘着性を有しうることを示している。
【００３５】
[0044]上述したように、上記方法は、本発明のフィルムアセンブリ３を物品２の表面２０、例えば、テレビの画面、コンピューターのモニター、携帯電話の画面、タブレット端末の画面、カメラの画面、マルチメディアデバイスの画面、車の窓又は家庭用の窓のうちの１つなどに取り付けることができる。
【００３６】
[0045]このようにして、本発明のフィルムアセンブリ３は、張り付けシート３１を繰り返し剥がしたり取り付けたりしなければならないことを回避でき、それ故に、張り付けシート３１を物品２の表面２０に簡単に取り付けることを可能にする。さらに、張り付けシート３１を物品２の表面２０に取り付けているとき、フィルムアセンブリ３は、張り付けシート３１を物品２の表面２０に完全に取り付けることをできなくしうる望ましくない物質が、張り付けシート３１と物品２の表面２０との間に付着することを防止できる。
【図１】
0005526419.tif 000002
【図２−１】
0005526419.tif 000003
【図２−２】
0005526419.tif 000004
【図３】
0005526419.tif 000005
【図４】
0005526419.tif 000006
【図５】
0005526419.tif 000007
【図６】
0005526419.tif 000008
【図７】
0005526419.tif 000009
【図８】
0005526419.tif 000010
【図９】
0005526419.tif 000011
【図１０】
0005526419.tif 000012